(57)【要約】      （修正有）【課題】画像形成において、補正が行われる場合であっても、画質を向上させることを目的とする。【解決手段】光源を用いて画像形成を行う画像形成装置が、入力画像データを補正して、光源を点灯させるか又は消灯させるか又は画像形成される濃度のいずれかを示す複数の第１画素を有する第１画像データを生成し、第１画像データと、第１画素のそれぞれの属性を示すタグデータとを受信し、第１画素のうち、光源を点灯させる又は濃度を示す画素と、光源を消灯させる画素とが凸形状又は凹形状となる第１対象画素を特定できる特定データを設定し、第１画像データを第１画像データより高い解像度となる第２画像データにする変換において、特定データ及びタグデータに基づいて、第２画像データが有する第２画素のうち、第１対象画素に対応する第２対象画素を特定し、凸形状又は凹形状を均すように変換し、第２画像データに基づいて、光源を制御して画像形成を行う。【選択図】図１０
2017213717.tif 000002
【特許請求の範囲】
【請求項１】
光源を用いて画像形成を行う画像形成装置であって、
入力される入力画像データを補正して、前記光源を点灯させるか若しくは消灯させるか又は画像形成される濃度のいずれかを示す複数の第１画素を有する第１画像データを生成する補正部と、
前記第１画像データと、前記第１画素のそれぞれの属性を示すタグデータとを受信するデータ受信部と、
前記第１画素のうち、前記光源を点灯させる又は前記濃度を示す画素と、前記光源を消灯させる画素とが凸形状又は凹形状となる第１対象画素を特定できる特定データを設定する特定データ設定部と、
前記第１画像データを前記第１画像データより高い解像度となる第２画像データにする変換において、前記特定データ及び前記タグデータに基づいて、前記第２画像データが有する第２画素のうち、前記第１対象画素に対応する第２対象画素を特定し、前記凸形状又は前記凹形状を均すように変換する変換部と、
前記第２画像データに基づいて、前記光源を制御して画像形成を行う画像形成部と
を備える画像形成装置。
【請求項２】
前記補正部は、前記画像形成部によって画像が画像形成される位置、大きさ又はこれらの両方を補正する請求項１に記載の画像形成装置。
【請求項３】
前記画像形成部が記録媒体の両面に対して画像形成を行う場合に、前記補正部は、前記位置を補正する請求項２に記載の画像形成装置。
【請求項４】
前記画像形成部が色ずれ補正を行う場合に、前記補正部は、前記位置を補正する請求項２に記載の画像形成装置。
【請求項５】
前記変換部は、前記凸形状を構成する前記光源を点灯させる画素又は前記濃度を示す画素を、前記光源を消灯させる画素に変換して、前記凸形状を均す請求項１乃至４のいずれか１項に記載の画像形成装置。
【請求項６】
前記変換部は、前記凸形状を構成する前記光源を点灯させる画素又は前記濃度を示す画素を、前記光源を消灯させる画素に変換し、かつ、少なくとも前記凸形状に隣接する前記光源を消灯させる画素を、前記光源を点灯させる画素又は前記濃度を示す画素に変換して、前記凸形状を均す請求項１乃至４のいずれか１項に記載の画像形成装置。
【請求項７】
前記変換部は、少なくとも前記凸形状に隣接する前記光源を消灯させる画素を、前記光源を点灯させる画素又は前記濃度を示す画素に変換して、前記凸形状を均す請求項１乃至４のいずれか１項に記載の画像形成装置。
【請求項８】
前記変換部は、前記光源を点灯させる画素又は前記濃度を示す画素を、１画素以上前記光源を消灯させる画素に変換して、文字又はラインを細くする変換を更に行う請求項１乃至７のいずれか１項に記載の画像形成装置。
【請求項９】
前記変換部は、前記光源を消灯させる画素を、１画素以上前記光源を点灯させる画素又は前記濃度を示す画素に変換して、文字又はラインを太くする変換を更に行う請求項１乃至７のいずれか１項に記載の画像形成装置。
【請求項１０】
前記画像形成部は、現像ローラを有し、
前記変換において、前記現像ローラが回転する第１方向で細く又は太くする第１画素数を設定する第１設定部と、
前記第１方向に直交する第２方向で細く又は太くする第２画素数を設定する第２設定部とを更に備え、
前記変換部は、前記第１画素数及び前記第２画素数に基づいて、細く又は太くする変換を行う請求項８又は９に記載の画像形成装置。
【請求項１１】
前記第２画像データの解像度は、前記第１画像データの解像度の２倍以上である請求項１乃至１０のいずれか１項に記載の画像形成装置。
【請求項１２】
前記変換部は、パターンマッチングによって、前記第１対象画素を特定する請求項１乃至１１のいずれか１項に記載の画像形成装置。
【請求項１３】
前記特定データは、前記パターンマッチングにおける複数のパターンを示すデータであり、
前記パターンには、優先度が設定される請求項１２に記載の画像形成装置。
【請求項１４】
前記タグデータは、前記第１画素が文字又はラインであるか否かを示す１ビットのデータである請求項１乃至１３のいずれか１項に記載の画像形成装置。
【請求項１５】
前記変換部は、前記第２画像データの解像度において前記変換を行う請求項１乃至１４のいずれか１項に記載の画像形成装置。
【請求項１６】
前記第１画素及び前記第２画素は、前記光源を点灯させるか消灯させるかを示す１ビットデータである請求項１乃至１５のいずれか１項に記載の画像形成装置。
【請求項１７】
前記第１画素及び前記第２画素は、前記濃度を示す多ビットデータである請求項１乃至１５のいずれか１項に記載の画像形成装置。
【請求項１８】
前記第１画像データに、段差となる画素が含まれると、
前記段差を均すようにするスムージング処理を行う請求項１乃至１７のいずれか１項に記載の画像形成装置。
【請求項１９】
光源を用いて画像形成を行う画像形成装置が行う画像形成方法であって、
前記画像形成装置が、入力される入力画像データを補正して、前記光源を点灯させるか若しくは消灯させるか又は画像形成される濃度のいずれかを示す複数の第１画素を有する第１画像データを生成する補正手順と、
前記画像形成装置が、前記第１画像データと、前記第１画素のそれぞれの属性を示すタグデータとを受信するデータ受信手順と、
前記画像形成装置が、前記第１画素のうち、前記光源を点灯させる又は前記濃度を示す画素と、前記光源を消灯させる画素とが凸形状又は凹形状となる第１対象画素を特定できる特定データを設定する特定データ設定手順と、
前記画像形成装置が、前記第１画像データを前記第１画像データより高い解像度となる第２画像データにする変換において、前記特定データ及び前記タグデータに基づいて、前記第２画像データが有する第２画素のうち、前記第１対象画素に対応する第２対象画素を特定し、前記凸形状又は前記凹形状を均すように変換する変換手順と、
前記画像形成装置が、前記第２画像データに基づいて、前記光源を制御して画像形成を行う画像形成手順と
を含む画像形成方法。
【発明の詳細な説明】
【技術分野】
【０００１】
本発明は、画像形成装置及び画像形成方法に関するものである。
【背景技術】
【０００２】
従来、電子写真プロセス等を用いて画像を形成する方法が知られている。
【０００３】
例えば、光源から発光される光に応じて画像を形成する画像形成装置が、まず、第１解像度の画像データ及び第１解像度の画像データが有するそれぞれの画素に対応付けされる画像処理を行うか否かを示すタグ情報をそれぞれ生成する画像処理ユニットを備える。次に、画像形成装置が、第１解像度の画像データを第１解像度より高解像度な第２解像度の画像データに変換する。そして、画像形成装置が、第２解像度の画像データに応じた変調信号に基づいて光源を駆動させる。さらに、画像形成装置が、第１解像度の画像データが有するそれぞれの画素のうち、画像処理の対象となる対象画素をタグ情報に基づいて特定する。続いて、画像形成装置が、対象画素に応じて、第２解像度の画像処理済の画素パターンを生成する。そして、画像形成装置が、第１解像度の画像データを第２解像度の画像データに変換するにおいて、第１解像度の画像データにおける対象画素を生成された画像処理済の画素パターンに変換する。このようにして、画像データのデータ転送量を増加させることなく、高い解像度で画像処理を実行することができる方法が知られている（例えば、特許文献１参照）。
【発明の概要】
【発明が解決しようとする課題】
【０００４】
しかしながら、従来の方法では、画像形成において、補正が行われると、画質が劣化する場合がある。
【０００５】
本発明の１つの側面は、画像形成において、補正が行われる場合であっても、画質を向上させることを目的とする。
【課題を解決するための手段】
【０００６】
上述した課題を解決するために、本発明の一態様である、光源を用いて画像形成を行う画像形成装置は、
入力される入力画像データを補正して、前記光源を点灯させるか若しくは消灯させるか又は画像形成される濃度のいずれかを示す複数の第１画素を有する第１画像データを生成する補正部と、
前記第１画像データと、前記第１画素のそれぞれの属性を示すタグデータとを受信するデータ受信部と、
前記第１画素のうち、前記光源を点灯させる又は前記濃度を示す画素と、前記光源を消灯させる画素とが凸形状又は凹形状となる第１対象画素を特定できる特定データを設定する特定データ設定部と、
前記第１画像データを前記第１画像データより高い解像度となる第２画像データにする変換において、前記特定データ及び前記タグデータに基づいて、前記第２画像データが有する第２画素のうち、前記第１対象画素に対応する第２対象画素を特定し、前記凸形状又は前記凹形状を均すように変換する変換部と、
前記第２画像データに基づいて、前記光源を制御して画像形成を行う画像形成部と
を備える。
【発明の効果】
【０００７】
画像形成において、補正が行われる場合であっても、画質を向上させることができる。
【図面の簡単な説明】
【０００８】
【図１】本発明の一実施形態に係る画像形成装置の概略構成の一例を示す図である。
【図２】本発明の一実施形態に係るポジションセンサの一例を示す図である。
【図３】本発明の一実施形態に係る画像の濃度を検出する濃度検出部の設置位置の一例を示す図である。
【図４】本発明の一実施形態に係る画像の濃度を検出する方法の一例を示す図である。
【図５】本発明の一実施形態に係る光走査制御装置の一例を示す図（その１）である。
【図６】本発明の一実施形態に係る光走査制御装置の一例を示す図（その２）である。
【図７】本発明の一実施形態に係る光走査制御装置の一例を示す図（その３）である。
【図８】本発明の一実施形態に係る光走査制御装置の一例を示す図（その４）である。
【図９】本発明の一実施形態に係る画像形成装置のハードウェア構成の一例を示すブロック図である。
【図１０】本発明の一実施形態に係る画像形成装置による全体処理の一例を示すフローチャートである。
【図１１】本発明の一実施形態に係る特定データの一例を示す図である。
【図１２】本発明の一実施形態に係る特定データに基づいて特定される画素の一例を示す図（その１）である。
【図１３】本発明の一実施形態に係る特定データに基づいて特定される画素の一例を示す図（その２）である。
【図１４】本発明の一実施形態に係る特定データに基づいて特定される画素の一例を示す図（その３）である。
【図１５】本発明の一実施形態に係る特定データに基づいて特定される画素の一例を示す図（その４）である。
【図１６】本発明の一実施形態に係る補正の一例を示す図である。
【図１７】本発明の一実施形態に係る第１画像データ及びタグデータの受信の一例を示すタイミングチャートである。
【図１８】本発明の一実施形態に係る変換の第１例を示す図である。
【図１９】本発明の一実施形態に係る変換の第２例を示す図である。
【図２０】本発明の一実施形態に係る変換の第３例を示す図である。
【図２１】本発明の一実施形態に係る変換の第４例を示す図である。
【図２２】本発明の一実施形態に係る変換において細線化を行う例を示す図である。
【図２３】本発明の一実施形態に係る変換において太線化を行う例を示す図である。
【図２４】本発明の一実施形態に係る画像形成装置による倍密処理の第１例を示す図である。
【図２５】本発明の一実施形態に係る画像形成装置による倍密処理の第２例を示す図である。
【図２６】本発明の一実施形態に係る画像形成装置による倍密処理の第３例を示す図である。
【図２７】本発明の一実施形態に係る画像形成装置による倍密処理の第４例を示す図である。
【図２８】本発明の一実施形態に係る画像形成装置による倍密処理の第５例を示す図である。
【図２９】画像形成装置による倍密処理における比較例を示す図である。
【図３０】本発明の一実施形態に係る画像形成装置による倍密処理の処理結果例を示す図である。
【図３１】本発明の一実施形態に係る多ビットデータの変換の第１例を示す図である。
【図３２】本発明の一実施形態に係る多ビットデータの変換の第２例を示す図である。
【図３３】本発明の一実施形態に係る多ビットデータの変換の第３例を示す図である。
【図３４】本発明の一実施形態に係る画像形成装置によって行われるパターンマッチングの一例を示す図である。
【図３５】本発明の一実施形態に係る画像形成装置によるスムージング処理の一例を示す図である。
【図３６】本発明の一実施形態に係る画像形成装置の機能構成の一例を示す図である。
【図３７】本発明の一実施形態に係る入力画像データ及び第１画像データの一例を示す図である。
【図３８】本発明の一実施形態に係る効果の一例を示す図である。
【図３９】本発明の一実施形態に係る画像形成装置によって行われるパターンマッチングの別の一例を示す図（その１）である。
【図４０】本発明の一実施形態に係る画像形成装置によって行われるパターンマッチングの別の一例を示す図（その２）である。
【図４１】本発明の一実施形態に係る画像形成装置によって行われるパターンマッチングの別の一例を示す図（その３）である。
【図４２】本発明の一実施形態に係る特定データの別の一例を示す図である。
【図４３】本発明の一実施形態に係る変換の別の一例を示す図である。
【発明を実施するための形態】
【０００９】
以下、本発明の実施形態について添付の図面を参照しながら説明する。なお、本明細書及び図面において、実質的に同一の機能構成を有する構成要素については、同一の符号を付し、重複する説明を省略する。
【００１０】
＜画像形成装置例＞
図１は、本発明の一実施形態に係る画像形成装置の概略構成の一例を示す図である。以下、図示する画像形成装置の例であるカラープリンタ２０００を例に説明する。また、この例では、カラープリンタ２０００は、４色を重ねてフルカラーの画像を紙等の記録媒体に対して画像形成を行う。なお、４色は、例えば、ブラック（Ｋ）、シアン（Ｃ）、マゼンタ（Ｍ）及びイエロー（Ｙ）等である。以下、各色を「Ｋ」、「Ｃ」、「Ｍ」及び「Ｙ」でそれぞれ示す場合がある。このように、カラープリンタ２０００は、いわゆるタンデム方式の多色カラープリンタである。
【００１１】
また、図示するように、３次元直交座標系において、各感光体の長手方向を「Ｙ軸」とする。この「Ｙ軸」に直交し、かつ、各感光体ドラムが配列される方向を「Ｘ軸」とする。さらに、この「Ｘ軸」及び「Ｙ軸」に直交し、かつ、いわゆる垂直方向に相当する方向を「Ｚ軸」とする。また、以下の説明では、Ｙ軸方向を「主走査方向」、Ｘ軸方向を「副走査方向」という場合がある。
【００１２】
カラープリンタ２０００は、光源を有し、この光源から照射される光を走査する光学系等を有する光走査制御装置２０１０を備える。すなわち、光走査制御装置２０１０は、いわゆる露光装置である。また、カラープリンタ２０００は、色ごとに、感光体ドラム２０３０ａ、２０３０ｂ、２０３０ｃ及び２０３０ｄを備える。この各感光体ドラムに対して、カラープリンタ２０００は、クリーニングユニット２０３１ａ、２０３１ｂ、２０３１ｃ及び２０３１ｄを備える。同様に、カラープリンタ２０００は、帯電装置２０３２ａ、２０３２ｂ、２０３２ｃ及び２０３２ｄを備える。さらに、カラープリンタ２０００は、現像ローラ２０３３ａ、２０３３ｂ、２０３３ｃ及び２０３３ｄを備える。さらにまた、カラープリンタ２０００は、トナーカートリッジ２０３４ａ、２０３４ｂ、２０３４ｃ及び２０３４ｄを備える。
【００１３】
他にも、カラープリンタ２０００は、転写ベルト２０４０、転写ローラ２０４２、定着ローラ２０５０、給紙コロ２０５４、レジストローラ対２０５６及び排紙ローラ２０５８等を備える。また、カラープリンタ２０００は、給紙トレイ２０６０、排紙トレイ２０７０、通信制御装置２０８０及び濃度検出器２２４５等を備える。
【００１４】
カラープリンタ２０００は、ホームポジションセンサ２２４６ａ、２２４６ｂ、２２４６ｃ及び２２４６ｄを備える。さらに、カラープリンタ２０００は、電位センサ及び上記ハードウェアを制御するプリンタ制御装置２０９０等を備える。
【００１５】
なお、以下の説明では、４つの感光体ドラム２０３０ａ、２０３０ｂ、２０３０ｃ及び２０３０ｄを区別せず、いずれか任意の感光体ドラムを「感光体ドラム２０３０」という場合がある。同様に、以下の説明では、４つの現像ローラ２０３３ａ、２０３３ｂ、２０３３ｃ及び２０３３ｄを区別せず、いずれか任意の現像ローラを「現像ローラ２０３３」という場合がある。
【００１６】
カラープリンタ２０００は、ネットワーク等を介して、ＰＣ（Ｐｅｒｓｏｎａｌ  Ｃｏｍｐｕｔｅｒ）等の上位装置に接続される。また、カラープリンタ２０００は、通信制御装置２０８０によって、ネットワーク等を介して上位装置等の外部装置と双方向に通信できる。
【００１７】
プリンタ制御装置２０９０は、演算装置及び制御装置の例であるＣＰＵ（Ｃｅｎｔｒａｌ  Ｐｒｏｃｅｓｓｉｎｇ  Ｕｎｉｔ）を有する。また、プリンタ制御装置２０９０は、ＣＰＵで各種処理を実行するためのプログラム及びＣＰＵが用いる各種データが記憶される記憶装置の例であるＲＯＭ（Ｒｅａｄ−Ｏｎｌｙ  Ｍｅｍｏｒｙ）等を有する。さらに、プリンタ制御装置２０９０は、ＣＰＵの作業領域となる主記憶装置の例であるＲＡＭ（Ｒａｎｄｏｍ  Ａｃｃｅｓｓ  Ｍｅｍｏｒｙ）等を有する。さらにまた、プリンタ制御装置２０９０は、アナログデータをデジタルデータに変換するＡ／Ｄ（ａｎａｌｏｇ−ｄｉｇｉｔａｌ）変換回路等を有する。
【００１８】
また、感光体ドラム２０３０ａ、帯電装置２０３２ａ、現像ローラ２０３３ａ、トナーカートリッジ２０３４ａ及びクリーニングユニット２０３１ａは、ブラックの画像を形成するため、組として使用される画像形成ステーションを構成する。以下「Ｋステーション」という場合がある。
【００１９】
同様に、感光体ドラム２０３０ｂ、帯電装置２０３２ｂ、現像ローラ２０３３ｂ、トナーカートリッジ２０３４ｂ及びクリーニングユニット２０３１ｂは、シアンの画像を形成するため、組として使用される画像形成ステーションを構成する。以下「Ｃステーション」という場合がある。
【００２０】
さらに、感光体ドラム２０３０ｃ、帯電装置２０３２ｃ、現像ローラ２０３３ｃ、トナーカートリッジ２０３４ｃ及びクリーニングユニット２０３１ｃは、マゼンタの画像を形成するため、組として使用される画像形成ステーションを構成する。以下「Ｍステーション」という場合がある。
【００２１】
また、感光体ドラム２０３０ｄ、帯電装置２０３２ｄ、現像ローラ２０３３ｄ、トナーカートリッジ２０３４ｄ及びクリーニングユニット２０３１ｄは、イエローの画像を形成するため、組として使用される画像形成ステーションを構成する。以下「Ｙステーション」という場合がある。
【００２２】
なお、以下の説明では、「Ｋステーション」、「Ｃステーション」、「Ｍステーション」及び「Ｙステーション」を区別せず、いずれか任意の画像形成ステーションを単に「ステーション」という場合がある。
【００２３】
各感光体ドラムには、いずれも表面に感光層をそれぞれ有する。すなわち、各感光体ドラムのそれぞれの表面は、光源からの光が照射される被走査面である。なお、感光体ドラムは、図示するように、回転機構等によって、矢印の方向に回転する。
【００２４】
各帯電装置は、各感光体ドラムの表面をそれぞれ帯電させる。
【００２５】
例えば、プリンタ制御装置２０９０は、上位装置等から要求があると、各ハードウェアを制御して上位装置等から送信される画像データを光走査制御装置２０１０に送る。
【００２６】
光走査制御装置２０１０は、画像データに基づいて、色ごとに変調される光束を各色のそれぞれの感光体ドラムの表面にそれぞれ照射する。光が照射されると、各感光体のそれぞれの表面では、光が照射される部分は、電荷が消滅する。そのため、光が照射されると、各感光体のそれぞれの表面には、画像データが示す潜像が形成される。この潜像は、感光体ドラムの回転によって、それぞれの現像ローラに移動する。なお、光走査制御装置２０１０の詳細は、後述する。また、画像データに基づいて、書き込みが行われる領域、すなわち、潜像が形成できる領域等は、「有効走査領域」、「画像形成領域」又は「有効画像領域」等という場合がある。
【００２７】
トナーカートリッジ２０３４ａには、ブラックトナーが格納される。このブラックトナーは、現像ローラ２０３３ａに供給される。同様に、トナーカートリッジ２０３４ｂには、シアントナーが格納される。このシアントナーは、現像ローラ２０３３ｂに供給される。また、トナーカートリッジ２０３４ｃには、マゼンタトナーが格納される。このマゼンタトナーは、現像ローラ２０３３ｃに供給される。さらに、トナーカートリッジ２０３４ｄには、イエロートナーが格納される。このイエロートナーは、現像ローラ２０３３ｄに供給される。
【００２８】
各現像ローラが回転すると、各トナーカートリッジからは、それぞれのトナーが、各感光体ドラムのそれぞれの表面に塗布される。そして、各現像ローラが有するトナーは、各感光体ドラムのそれぞれの表面に接すると、感光体ドラムに付着する場合がある。この場合は、感光体ドラムのそれぞれの表面に、光源からの光が照射された場合である。すなわち、各現像ローラは、各感光体のそれぞれの表面に形成される潜像にトナーを付着させ、潜像を顕像化させる。次に、トナーが付着して形成される像、いわゆるトナー画像は、各感光体ドラムの回転によって、転写ベルト２０４０に転写される。このような帯電、潜像の形成及び転写が色ごとにそれぞれ行われる。続いて、ブラック、シアン、マゼンタ及びイエローのそれぞれのトナー画像は、所定のタイミングで転写ベルト２０４０上に順次それぞれ転写される。このように、各色のトナー画像が転写されると、それぞれのトナー画像は、重ね合う。そして、カラー画像が形成される。
【００２９】
一方で、給紙トレイ２０６０には、紙等の記録媒体が格納される。この給紙トレイ２０６０の近傍には、給紙コロ２０５４が配置される。この給紙コロ２０５４は、給紙トレイ２０６０から紙等を１枚ずつ取り出す。次に、取り出される紙等は、レジストローラ対２０５６に搬送される。続いて、レジストローラ対２０５６は、所定のタイミングで、搬送される紙等を転写ベルト２０４０及び転写ローラ２０４２の間に送る。これによって、転写ベルト２０４０上に形成されるカラー画像が、送られる紙等に転写される。次に、カラー画像が転写された紙等は、定着ローラ２０５０に送られる。
【００３０】
定着ローラでは、熱及び圧力が紙等に加えられる。このように、熱及び圧力等が加えられると、カラー画像が転写された紙等には、トナーが定着する。次に、定着が終わると、紙等は、排紙ローラ２０５８を介して、排紙トレイ２０７０に送られる。この排紙トレイ２０７０では、紙等が順次スタックされる。
【００３１】
また、各クリーニングユニットは、各感光体ドラムのそれぞれの表面に残るトナー、すなわち、いわゆる残留トナーを除去する。このようにして、残留トナーが除去されると、感光体ドラムは、帯電装置が対向する位置に戻る。このため、カラープリンタ２０００は、次の画像形成を行うことができる。
【００３２】
カラープリンタ２０００は、感光体ドラムの所定の位置（以下「ホームポジション」という。）を検出するホームポジションセンサを感光体ドラムごとに有する。
【００３３】
図２は、本発明の一実施形態に係るポジションセンサの一例を示す図である。図示するように、ポジションセンサは、例えば、ＬＥＤ（Ｌｉｇｈｔ  Ｅｍｉｔｔｉｎｇ  Ｄｉｏｄｅ）等の光源ＬＧと、固定スリットＳＬと、受光素子ＬＲＥと、波形整形回路ＣＩＲとから構成される。図示する例では、感光体ドラム２０３０に穴があり、光源ＬＧから発光された光は、穴及び固定スリットＳＬを透過して、受光素子ＬＲＥによって検出される。この検出結果は、図示するように、波形整形回路ＣＩＲの出力波形によって示される。なお、図示する構成は、透過光を検出する構成であるが、例えば、受光素子ＬＲＥは、反射光を検出する構成でもよい。
【００３４】
他に、まず、感光体ドラムには、ホームポジションを示すために、例えば、印又は突起物等が設けられる。このような印等があると、感光体ドラムが回転しても、印等を検出すれば、カラープリンタ２０００は、感光体ドラムがホームポジションから１回転して再度ホームポジションの位置に戻ってきたことがわかる。なお、ホームポジションセンサは、電気的、機械的又はこれらの組み合わせによってホームポジションを検出するセンサである。例えば、ホームポジションが突起物等で印される場合には、ホームポジションセンサは、突起物等を機械的に検出するタッチセンサ等である。一方で、ホームポジションが印等で印される場合には、ホームポジションセンサは、印等を電気的に検出する光学センサ等である。
【００３５】
カラープリンタ２０００は、ホームポジションセンサ２２４６ａ、２２４６ｂ、２２４６ｃ及び２２４６ｄによって、各感光体ドラムのホームポジションをそれぞれ検出する。具体的には、ホームポジションセンサ２２４６ａは、感光体ドラム２０３０ａにおける回転のホームポジションを検出する。同様に、ホームポジションセンサ２２４６ｂは、感光体ドラム２０３０ｂにおける回転のホームポジションを検出する。また、ホームポジションセンサ２２４６ｃは、感光体ドラム２０３０ｃにおける回転のホームポジションを検出する。さらに、ホームポジションセンサ２２４６ｄは、感光体ドラム２０３０ｄにおける回転のホームポジションを検出する。
【００３６】
カラープリンタ２０００は、各感光体ドラムの表面を計測して感光体ドラム２０３０の表面電位を示す電位センサを感光体ドラムごとに有する。なお、電位センサは、例えば、各感光体ドラムに対して対向する位置等に設置される。
【００３７】
＜濃度検出器例＞
図３は、本発明の一実施形態に係る画像の濃度を検出する濃度検出部の設置位置の一例を示す図である。例えば、濃度検出器２２４５（図１）は、図示するように、５つの光学センサＰ１、Ｐ２、Ｐ３、Ｐ４及びＰ５を有する。以下、濃度検出器２２４５が光学センサを５つ有する例で説明する。なお、濃度検出器２２４５は、光学センサを５つ有するに限られず、例えば、３つ有する構成でもよい。
【００３８】
また、以下の説明では、光学センサＰ１、Ｐ２、Ｐ３、Ｐ４及びＰ５を区別せず、いずれか任意の光学センサを単に「光学センサ」という場合がある。
【００３９】
具体的には、光学センサＰ１、Ｐ２、Ｐ３、Ｐ４及びＰ５ｃは、図示するように、Ｙ軸、すなわち転写ベルト２０４０の進行方向に直交する方向において、有効画像領域となる位置にそれぞれ設置される。
【００４０】
図４は、本発明の一実施形態に係る画像の濃度を検出する方法の一例を示す図である。図３に示すように設置される光学センサＰ１、Ｐ２、Ｐ３、Ｐ４及びＰ５を用いて、濃度検出器２２４５（図１）は、例えば、図４に示すように、濃度を検出する。以下、光学センサＰ１の例で説明する。
【００４１】
濃度検出器２２４５は、ＬＥＤ１１等の光源を有する。まず、ＬＥＤ１１から転写ベルト２０４０に対して、光が照射される。この光は、転写ベルト２０４０又は転写ベルト２０４０上に形成されるトナー画像で反射する。反射した光は、例えば、反射が正反射であると、光学センサＰ１に受光される。次に、光学センサＰ１は、受光する光に基づいて、受光量を示す信号を出力する。すなわち、転写ベルト２０４０のトナー量等に応じて、信号が示す受光量が異なるため、カラープリンタは、この信号によって、濃度を検出することができる。
【００４２】
なお、光学センサＰ１は、図示するように、複数設置されてもよい。具体的には、光は、転写ベルト２０４０等で拡散するように反射する場合がある。そのため、カラープリンタは、拡散反射用光学センサ１３を有してもよい。なお、拡散反射用光学センサ１３は、光学センサＰ１と同様に、光を受光すると、受光量を示す信号を出力する。具体的には、例えば、カラーの場合には、正反射光及び拡散反射光を用いて、トナー量が算出される。一方で、ブラックの場合には、正反射を用いて、トナー量が算出される。
【００４３】
＜光走査制御装置例＞
図５は、本発明の一実施形態に係る光走査制御装置の一例を示す図（その１）である。
【００４４】
図６は、本発明の一実施形態に係る光走査制御装置の一例を示す図（その２）である。
【００４５】
図７は、本発明の一実施形態に係る光走査制御装置の一例を示す図（その３）である。
【００４６】
図８は、本発明の一実施形態に係る光走査制御装置の一例を示す図（その４）である。
【００４７】
例えば、光走査制御装置２０１０は、光源２２００ａ、２２００ｂ、２２００ｃ及び２２００ｄを有する。また、光走査制御装置２０１０は、カップリングレンズ２２０１ａ、２２０１ｂ、２２０１ｃ及び２２０１ｄを有する。さらに、光走査制御装置２０１０は、開口板２２０２ａ、２２０２ｂ、２２０２ｃ及び２２０２ｄを有する。さらにまた、光走査制御装置２０１０は、シリンドリカルレンズ２２０４ａ、２２０４ｂ、２２０４ｃ及び２２０４ｄを有する。他にも、光走査制御装置２０１０は、ポリゴンミラー２１０４と、走査レンズ２１０５ａ、２１０５ｂ、２１０５ｃ及び２１０５ｄと、折り返しミラー２１０６ａ、２１０６ｂ、２１０６ｃ、２１０６ｄ、２１０８ｂ及び２１０８ｃを有する。
【００４８】
以下の説明では、４つの光源２２００ａ、２２００ｂ、２２００ｃ及び２２００ｄを区別せず、いずれか任意の光源を「光源２２００」という場合がある。
【００４９】
光源２２００は、例えば、複数（例えば、４０個）の発光部が２次元に配列される面発光レーザアレイを含む。この面発光レーザアレイが含む複数の発光部は、例えば、すべての発光部が副走査方向に射影した際に、発光部のそれぞれの間隔が等間隔となるように配置される。すなわち、複数の発光部は、少なくとも副走査方向に、それぞれ間隔があるように配置される。以下の説明では、いずれか２つの発光部の中心間距離を「発光部間隔」という場合がある。
【００５０】
カップリングレンズ２２０１ａは、光源２２００ａから照射される光束の光路上に配置される。また、カップリングレンズ２２０１ａは、この光束を略平行光束とする。同様に、カップリングレンズ２２０１ｂは、光源２２００ｂから照射される光束の光路上に配置される。また、カップリングレンズ２２０１ｂは、この光束を略平行光束とする。さらに、カップリングレンズ２２０１ｃは、光源２２００ｃから照射される光束の光路上に配置される。また、カップリングレンズ２２０１ｃは、この光束を略平行光束とする。さらにまた、カップリングレンズ２２０１ｄは、この光束を略平行光束とする。さらに、カップリングレンズ２２０１ｄは、光源２２００ｄから照射される光束の光路上に配置される。
【００５１】
開口板２２０２ａは、開口部を有し、カップリングレンズ２２０１ａを介する光束を整形する。同様に、開口板２２０２ｂは、開口部を有し、カップリングレンズ２２０１ｂを介する光束を整形する。さらに、開口板２２０２ｃは、開口部を有し、カップリングレンズ２２０１ｃを介する光束を整形する。さらにまた、開口板２２０２ｄは、開口部を有し、カップリングレンズ２２０１ｄを介する光束を整形する。
【００５２】
シリンドリカルレンズ２２０４ａは、開口板２２０２ａが有する開口部を通過する光束をポリゴンミラー２１０４が有する偏向反射面の近傍に、Ｚ軸方向に関して結像する。同様に、シリンドリカルレンズ２２０４ｂは、開口板２２０２ｂが有する開口部を通過する光束をポリゴンミラー２１０４が有する偏向反射面の近傍に、Ｚ軸方向に関して結像する。さらに、シリンドリカルレンズ２２０４ｃは、開口板２２０２ｃが有する開口部を通過する光束をポリゴンミラー２１０４が有する偏向反射面の近傍に、Ｚ軸方向に関して結像する。さらにまた、シリンドリカルレンズ２２０４ｄは、開口板２２０２ｄが有する開口部を通過する光束をポリゴンミラー２１０４が有する偏向反射面の近傍に、Ｚ軸方向に関して結像する。
【００５３】
カップリングレンズ２２０１ａと、開口板２２０２ａと、シリンドリカルレンズ２２０４ａとを有する光学系は、Ｋステーションの偏向器において前光学系となる。同様に、カップリングレンズ２２０１ｂと、開口板２２０２ｂと、シリンドリカルレンズ２２０４ｂとを有する光学系は、Ｃステーションの偏向器において前光学系となる。さらに、カップリングレンズ２２０１ｃと、開口板２２０２ｃと、シリンドリカルレンズ２２０４ｃとを有する光学系は、Ｍステーションの偏向器において前光学系となる。さらにまた、カップリングレンズ２２０１ｄと、開口板２２０２ｄと、シリンドリカルレンズ２２０４ｄとを有する光学系は、Ｙステーションの偏向器において前光学系となる。
【００５４】
ポリゴンミラー２１０４は、Ｚ軸回りに回転する。また、図示するように、ポリゴンミラー２１０４は、Ｚ軸方向に２段構造である。さらに、ポリゴンミラー２１０４は、４面鏡を有する。このポリゴンミラー２１０４が有する４面鏡は、それぞれの偏向反射面となる。そして、１段目の４面鏡では、シリンドリカルレンズ２２０４ｂからの光束及びシリンドリカルレンズ２２０４ｃからの光束が、それぞれ偏向される。一方で、２段目の４面鏡では、シリンドリカルレンズ２２０４ａからの光束及びシリンドリカルレンズ２２０４ｄからの光束が、それぞれ偏向される。なお、シリンドリカルレンズ２２０４ａからの光束及びシリンドリカルレンズ２２０４ｂからの光束は、ポリゴンミラー２１０４の位置より、Ｘ軸において、「−」側に向かうように偏向されるとする。一方で、シリンドリカルレンズ２２０４ｃからの光束及びシリンドリカルレンズ２２０４ｄからの光束は、ポリゴンミラー２１０４の位置より、Ｘ軸において、「＋」側に向かうように偏向されるとする。
【００５５】
各走査レンズは、各光束をそれぞれの感光体ドラムに集光させる。また、ポリゴンミラー２１０４の回転に基づいて、それぞれの感光体ドラムの表面上に、光スポットが主走査方向に等速で移動するように、制御が行われる。
【００５６】
具体的には、まず、走査レンズ２１０５ａ及び走査レンズ２１０５ｂは、ポリゴンミラー２１０４の位置より、Ｘ軸において、「−」側に配置される。一方で、走査レンズ２１０５ｃ及び走査レンズ２１０５ｄは、ポリゴンミラー２１０４の位置より、Ｘ軸において、「＋」側に配置される。
【００５７】
また、走査レンズ２１０５ａ及び走査レンズ２１０５ｂは、Ｚ軸方向に積層される。さらに、走査レンズ２１０５ｂは、１段目の４面鏡に対向する位置に設置される。一方で、走査レンズ２１０５ａは、２段目の４面鏡に対向する位置に設置される。同様に、走査レンズ２１０５ｃ及び走査レンズ２１０５ｄは、Ｚ軸方向に積層される。さらに、走査レンズ２１０５ｃは、１段目の４面鏡に対向する位置に設置される。一方で、走査レンズ２１０５ｄは、２段目の４面鏡に対向する位置に設置される。
【００５８】
ポリゴンミラー２１０４によって偏向されるシリンドリカルレンズ２２０４ａからの光束は、走査レンズ２１０５ａ及び折り返しミラー２１０６ａを介して、感光体ドラム２０３０ａに照射される。このように、光束によって、感光体ドラム２０３０ａに光が照射されると、光スポットが形成される。この光スポットは、ポリゴンミラー２１０４が回転すると、感光体ドラム２０３０ａの長手方向に移動する。すなわち、光スポットは、ポリゴンミラー２１０４の回転に基づいて、感光体ドラム２０３０ａ上を走査する。
【００５９】
なお、光スポットが移動する方向が主走査方向となる。したがって、感光体ドラム２０３０ａが回転する方向が副走査方向となる。
【００６０】
同様に、ポリゴンミラー２１０４によって偏向されるシリンドリカルレンズ２２０４ｂからの光束は、走査レンズ２１０５ｂ及び折り返しミラー２１０６ｂを介して、感光体ドラム２０３０ｂに照射される。このように、光束によって、感光体ドラム２０３０ｂに光が照射されると、光スポットが形成される。この光スポットは、ポリゴンミラー２１０４が回転すると、感光体ドラム２０３０ｂの長手方向に移動する。すなわち、光スポットは、ポリゴンミラー２１０４の回転に基づいて、感光体ドラム２０３０ｂ上を走査する。
【００６１】
なお、光スポットが移動する方向が主走査方向となる。したがって、感光体ドラム２０３０ｂが回転する方向が副走査方向となる。
【００６２】
同様に、ポリゴンミラー２１０４によって偏向されるシリンドリカルレンズ２２０４ｃからの光束は、走査レンズ２１０５ｃ及び折り返しミラー２１０６ｃを介して、感光体ドラム２０３０ｃに照射される。このように、光束によって、感光体ドラム２０３０ｃに光が照射されると、光スポットが形成される。この光スポットは、ポリゴンミラー２１０４が回転すると、感光体ドラム２０３０ｃの長手方向に移動する。すなわち、光スポットは、ポリゴンミラー２１０４の回転に基づいて、感光体ドラム２０３０ｃ上を走査する。
【００６３】
なお、光スポットが移動する方向が主走査方向となる。したがって、感光体ドラム２０３０ｃが回転する方向が副走査方向となる。
【００６４】
同様に、ポリゴンミラー２１０４によって偏向されるシリンドリカルレンズ２２０４ｄからの光束は、走査レンズ２１０５ｄ及び折り返しミラー２１０６ｄを介して、感光体ドラム２０３０ｄに照射される。このように、光束によって、感光体ドラム２０３０ｄに光が照射されると、光スポットが形成される。この光スポットは、ポリゴンミラー２１０４が回転すると、感光体ドラム２０３０ｄの長手方向に移動する。すなわち、光スポットは、ポリゴンミラー２１０４の回転に基づいて、感光体ドラム２０３０ｄ上を走査する。
【００６５】
なお、光スポットが移動する方向が主走査方向となる。したがって、感光体ドラム２０３０ｄが回転する方向が副走査方向となる。
【００６６】
また、各折り返しミラーは、ポリゴンミラー２１０４から各感光体ドラムまでに至る各光路長が同一となる位置にそれぞれ配置される。さらに、各折り返しミラーは、各感光体ドラムにおける各光束のそれぞれの入射位置及び入射角がいずれも同一となるようにそれぞれ配置される。
【００６７】
ポリゴンミラー２１０４及び各感光体ドラムの間の光路上に配置される光学系は、走査光学系等といわれる。この例では、Ｋステーションの走査光学系は、走査レンズ２１０５ａ及び折り返しミラー２１０６ａ等である。また、Ｃステーションの走査光学系は、走査レンズ２１０５ｂ、折り返しミラー２１０６ｂ及び２１０８ｂ等である。さらに、Ｍステーションの走査光学系は、走査レンズ２１０５ｃ、折り返しミラー２１０６ｃ及び２１０８ｃ等である。さらにまた、Ｙステーションの走査光学系は、走査レンズ２１０５ｄ及び折り返しミラー２１０６ｄ等である。なお、各走査光学系において、走査レンズは、複数のレンズであってもよい。
【００６８】
なお、図１に示す構成において、感光体ドラム２０３０並びに現像ローラ２０３３ａ、２０３３ｂ、２０３３ｃ及び２０３３ｄが回転する方向（以下「第１方向」という。）、すなわち、Ｙ軸方向回りは、Ｘ軸方向となる。また、現像ローラ２０３３ａ、２０３３ｂ、２０３３ｃ及び２０３３ｄは、いわゆる電磁ブラシ等を有し、感光体ドラム２０３０に対して、トナーを付着させるため、Ｙ軸方向回りに回転する。なお、第１方向に対して、直交する方向を「第２方向」という。
【００６９】
＜ハードウェア構成例＞
図９は、本発明の一実施形態に係る画像形成装置のハードウェア構成の一例を示すブロック図である。例えば、カラープリンタ２０００は、コントローラ２００１と、第１プロッタ制御装置２００２と、第２プロッタ制御装置２００３と、メモリ２００４と、ＣＰＵ（Ｃｅｎｔｒａｌ  Ｐｒｏｃｅｓｓｉｎｇ  Ｕｎｉｔ）２００５と、第３プロッタ制御装置２００６とを有する。
【００７０】
まず、カラープリンタ２０００には、ネットワーク、有線又は無線等によって、上位装置が接続される。そして、上位装置は、カラープリンタ２０００に対して、ユーザの操作等に基づいて、画像形成を行う命令、すなわち、印刷要求を送信する。また、印刷要求が行われる際には、カラープリンタ２０００に画像形成させる画像を示す画像データが、上位装置からカラープリンタ２０００が有するコントローラ２００１に送られる。
【００７１】
コントローラ２００１は、例えば、ＣＰＵ等が実装される電子回路基板等である。例えば、コントローラ２００１は、ディザ処理等の階調処理及び上位装置から送られる画像データをビットマップ形式に変換する処理等の画像処理を行う。なお、コントローラ２００１の後段には、いわゆる画像展開を行う装置等が接続されてもよい。
【００７２】
第１プロッタ制御装置２００２、第２プロッタ制御装置２００３及び第３プロッタ制御装置２００６は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）等のＰＬＤ（Ｐｒｏｇｒａｍｍａｂｌｅ  Ｌｏｇｉｃ  Ｄｅｖｉｃｅ）又はこれらの組み合わせ等である。なお、第１プロッタ制御装置２００２が行う処理の一部は、ファームウェア等で実行されてもよい。
【００７３】
第１プロッタ制御装置２００２は、パターンを付加したり、トリミング等の画像処理を行ったりする装置である。例えば、付加されるパターンは、偽造防止用のパターン、テストパターン又は調整用のパターン等である。なお、調整用のパターンは、例えば、濃度調整用のパターン、色ずれ補正用のパターン又はブレード捲込まれ回避用のパターン等である。また、画像処理は、スキュー補正等を行ってもよい。他にも、第１プロッタ制御装置２００２は、ノイズ除去処理、画素数のカウント処理、画像データのデータ容量を計測する処理、８ビットデータを１０ビットデータに変換する処理及びパラレルデータをシリアルデータに変換する処理等を行う。
【００７４】
第２プロッタ制御装置２００３及び第３プロッタ制御装置２００６は、例えば、同様の処理をそれぞれ行う。図示する構成では、各光源が、それぞれ１色を画像形成するのに用いられる。例えば、光源２２００ａは、「Ｋ」、「Ｃ」、「Ｍ」及び「Ｙ」の色のうち、「Ｋ」の色を画像形成するのに用いられる。また、光源２２００ｂは、「Ｋ」、「Ｃ」、「Ｍ」及び「Ｙ」の色のうち、「Ｍ」の色を画像形成するのに用いられる。さらに、光源２２００ｃは、「Ｋ」、「Ｃ」、「Ｍ」及び「Ｙ」の色のうち、「Ｃ」の色を画像形成するのに用いられる。さらにまた、光源２２００ｄは、「Ｋ」、「Ｃ」、「Ｍ」及び「Ｙ」の色のうち、「Ｙ」の色を画像形成するのに用いられる。そして、図示する構成では、第２プロッタ制御装置２００３及び第３プロッタ制御装置２００６は、２色ずつ光源をそれぞれ制御する。なお、色の組み合わせは、図示する組み合わせでなくともよい。したがって、第２プロッタ制御装置２００３及び第３プロッタ制御装置２００６は、光源を制御するドライバ等の制御装置を有する。
【００７５】
以下、第２プロッタ制御装置２００３が光源２２００ａを制御して「Ｋ」の色を画像形成する場合を例に説明する。なお、カラープリンタには、色ごとのパラメータがあらかじめ設定され、色ごとにパラメータ等に基づいて、それぞれ異なる処理が行われてもよい。
【００７６】
第２プロッタ制御装置２００３は、まず、第１プロッタ制御装置２００２から画像データ（以下「第１画像データ」という。）を受信する。例えば、第２プロッタ制御装置２００３は、ＬＶＤＳ（Ｌｏｗ  ｖｏｌｔａｇｅ  ｄｉｆｆｅｒｅｎｔｉａｌ  ｓｉｇｎａｌｉｎｇ）信号等で第１画像データを受信する。また、前段の第１プロッタ制御装置２００２で８ビットデータを１０ビットデータに変換する処理が行われる場合には、第２プロッタ制御装置２００３は、逆変換、すなわち、１０ビットデータを８ビットデータに変換する処理等を行う。そして、第２プロッタ制御装置２００３は、第１画像データを光源２２００ａの発光解像度に合うデータフォーマットに変換する。
【００７７】
例えば、光源２２００ａは、ＶＣＳＥＬ（Ｖｅｒｔｉｃａｌ  Ｃａｖｉｔｙ  Ｓｕｒｆａｃｅ  Ｅｍｉｔｔｉｎｇ  ＬＡＳＥＲ、垂直共振器面発光レーザ）のレーザアレイである。このように、光源２２００ａをＶＣＳＥＬとすると、発光解像度は、主走査方向に２４００ｄｐｉ（ｄｏｔｓ  ｐｅｒ  ｉｎｃｈ）及び副走査方向に４８００ｄｐｉ等の高い解像度とすることができる。
【００７８】
例えば、第１画像データが２４００ｄｐｉの解像度であり、発光解像度が４８００ｄｐｉである場合には、第２プロッタ制御装置２００３は、第１画像データに対して、いわゆる倍密処理等を行い、第１画像データを高解像度に変換した画像データ（以下「第２画像データ」という。）を生成する。なお、高い解像度にする変換は、例えば、あらかじめ入力されるＬＵＴ（Ｌｏｏｋ  Ｕｐ  Ｔａｂｌｅ）データ等によって実現される。他にも、高い解像度にする変換は、第１画像データが有する各画素（以下「第１画素」という。）のデータを２つの画素にする等の変換でもよい。
【００７９】
そして、第２プロッタ制御装置２００３は、第１画像データを変換して、第２画像データを生成する。なお、変換手順の詳細は、後述する。次に、第２プロッタ制御装置２００３は、第２画像データに基づいて、光源２２００ａを制御して画像形成を行う。
【００８０】
＜全体処理例＞
図１０は、本発明の一実施形態に係る画像形成装置による全体処理の一例を示すフローチャートである。例えば、カラープリンタは、図示するような画像形成方法によって、画像形成を行う。なお、以下の例では、第１画像データのカラム（ｃｏｌｕｍｎ）方向（Ｙ方向、主走査方向）の解像度が２４００ｄｐｉであり、かつ、第２画像データ及び第３画像データが４８００ｄｐｉである例で説明する。
【００８１】
＜特定データの設定例（ステップＳ０１）＞
ステップＳ０１では、カラープリンタは、特定データを設定する。なお、特定データは、例えば、パターンマッチングが行われる場合には、パターンマッチングで検出されるパターンを示すデータである。例えば、特定データは、以下のようなデータである。
【００８２】
図１１は、本発明の一実施形態に係る特定データの一例を示す図である。図示するように、特定データは、例えば、図１１（Ａ）乃至図１１（Ｈ）に示す８つのデータである。なお、図示する例では、それぞれの特定データは、２４００ｄｐｉの１５画素分のデータである。また、図示する例では、各画素は、それぞれ１ビットデータである。具体的には、画素が「０」を示す場合には、画素は、光源を消灯させる、すなわち、画素に対応する箇所にトナーが付着されないため、画素に対応する箇所を白色（画像形成に用いられる用紙が白色であるとする。）にすることを示す。一方で、画素が「１」を示す場合には、画素は、光源を点灯させる、すなわち、画素に対応する箇所に「Ｋ」のトナーが付着されるため、画素に対応する箇所を黒色とすることを示す。なお、「０」及び「１」のどちらを黒色とするかは、あらかじめカラープリンタに設定できてもよい。また、特定データは、１５画素のデータに限られず、例えば、第１画像データの解像度又は対象とするエッジの太さ等に基づいて設定されてもよい。すなわち、特定データは、１５画素以外の数でもよい。
【００８３】
図１１（Ａ）又は図１１（Ｄ）に示すような特定データが用いられると、カラープリンタは、凸画素ＰＸＡのように、ロウ方向における凸形状を構成する画素を特定できる。同様に、図１１（Ｂ）又は図１１（Ｃ）に示すような特定データが用いられると、カラープリンタは、凸画素ＰＸＡのように、カラム方向における凸形状を構成する画素を特定できる。一方で、図１１（Ｅ）又は図１１（Ｈ）に示すような特定データが用いられると、カラープリンタは、凹画素ＰＸＢのように、ロウ方向における凹形状を構成する画素を特定できる。同様に、図１１（Ｆ）又は図１１（Ｇ）に示すような特定データが用いられると、カラープリンタは、凹画素ＰＸＢのように、カラム方向における凹形状を構成する画素を特定できる。
【００８４】
以下、図１１（Ａ）に示すような特定データが設定される場合を例に説明する。
【００８５】
図１２は、本発明の一実施形態に係る特定データに基づいて特定される画素の一例を示す図（その１）である。例えば、第１画像データが図示するような複数の第１画素ＰＸ１を有する例で説明する。具体的には、第１画像データの一部に、図示するような縦ラインＬＮ１を画像形成する画素があるとする。この例では、図１１（Ａ）に示す特定データが示すパターンと、図１２に示す第１画素ＰＸ１のうち、例えば、図示する３行目乃至５行目における２列目乃至６列目の１５画素のパターン（以下「第１特定パターンＰＴ１」という。）とが一致する。すなわち、図１１（Ａ）に示す特定データと、第１特定パターンＰＴ１とは、「０」及び「１」のそれぞれの画素の数並びに「０」及び「１」の位置がどちらも一致する。このように、特定データが設定されると、縦ラインＬＮ１が画像形成される場合において、カラープリンタは、光源を点灯させる画素が凸形状となる画素（以下「第１対象画素」という。）を特定できる。
【００８６】
また、第１対象画素は、例えば、第１特定パターンＰＴ１の例では、図示するように、縦ラインＬＮ１を画像形成する画素に隣接する３列目において、点灯させる画素がでっぱる画素（以下「左凸画素ＬＰＸ」という。）等である。
【００８７】
他にも、図１１（Ｂ）乃至図１１（Ｄ）に示す特定データが設定されると、カラープリンタは、同様に、第１対象画素を特定できる。例えば、図１１（Ｄ）に示すような特定データが設定されると、カラープリンタは、例えば、以下のような画素を特定できる。
【００８８】
図１３は、本発明の一実施形態に係る特定データに基づいて特定される画素の一例を示す図（その２）である。例えば、第１画像データが図示するような複数の第１画素ＰＸ１を有する例で説明する。具体的には、第１画像データの一部に、図示するような縦ラインＬＮ２を画像形成する画素があるとする。この例では、図１１（Ｄ）に示す特定データが示すパターンと、図１３に示す第１画素ＰＸ１のうち、例えば、図示する２行目乃至４行目における７列目乃至１１列目の１５画素のパターン（以下「第２特定パターンＰＴ２」という。）とが一致する。すなわち、図１１（Ｄ）に示す特定データと、第２特定パターンＰＴ２とは、「０」及び「１」のそれぞれの画素の数並びに「０」及び「１」の位置がどちらも一致する。このように、特定データが設定されると、縦ラインＬＮ２が画像形成される場合において、第１対象画素が特定できる。
【００８９】
具体的には、図１１（Ｄ）に示す特定データが設定される場合には、縦ラインＬＮ２が画像形成される場合において、カラープリンタは、光源を点灯させる画素が凸形状となる第１対象画素を特定できる。また、この図では、第１対象画素は、図示するように、縦ラインＬＮ２を画像形成する画素に隣接する１０列目において、点灯させる画素がでっぱる画素（以下「右凸画素ＲＰＸ」という。）等である。
【００９０】
同様に、図１１（Ｂ）に示すような特定データが設定されると、カラープリンタは、例えば、以下のような画素を特定できる。
【００９１】
図１４は、本発明の一実施形態に係る特定データに基づいて特定される画素の一例を示す図（その３）である。例えば、第１画像データが図示するような複数の第１画素ＰＸ１を有する例で説明する。具体的には、第１画像データの一部に、図示するような横ラインＬＮ３を画像形成する画素があるとする。この例では、図１１（Ｂ）に示す特定データが示すパターンと、図１４に示す第１画素ＰＸ１のうち、例えば、図示する６列目乃至８列目における２行目乃至６行目の１５画素のパターン（以下「第３特定パターンＰＴ３」という。）とが一致する。すなわち、図１１（Ｂ）に示す特定データと、第３特定パターンＰＴ３とは、「０」及び「１」のそれぞれの画素の数並びに「０」及び「１」の位置がどちらも一致する。このように、特定データが設定されると、横ラインＬＮ３が画像形成される場合において、第１対象画素が特定できる。
【００９２】
具体的には、図１１（Ｂ）に示す特定データが設定される場合には、横ラインＬＮ３が画像形成される場合において、カラープリンタは、光源を点灯させる画素が凸形状となる第１対象画素を特定できる。また、この図では、第１対象画素は、図示するように、横ラインＬＮ３を画像形成する画素に隣接する３行目において、点灯させる画素がでっぱる画素（以下「上凹画素ＵＰＸ」という。）等である。
【００９３】
同様に、図１１（Ｃ）に示すような特定データが設定されると、カラープリンタは、例えば、以下のような画素を特定できる。
【００９４】
図１５は、本発明の一実施形態に係る特定データに基づいて特定される画素の一例を示す図（その４）である。例えば、第１画像データが図示するような複数の第１画素ＰＸ１を有する例で説明する。具体的には、第１画像データの一部に、図示するような横ラインＬＮ４を画像形成する画素があるとする。この例では、図１１（Ｃ）に示す特定データが示すパターンと、図１５に示す第１画素ＰＸ１のうち、例えば、図示する８列目乃至１０列目における５行目乃至９行目の１５画素のパターン（以下「第４特定パターンＰＴ４」という。）とが一致する。すなわち、図１１（Ｃ）に示す特定データと、第４特定パターンＰＴ４とは、「０」及び「１」のそれぞれの画素の数並びに「０」及び「１」の位置がどちらも一致する。このように、特定データが設定されると、横ラインＬＮ４が画像形成される場合において、第１対象画素が特定できる。
【００９５】
具体的には、図１１（Ｃ）に示す特定データが設定される場合には、横ラインＬＮ４が画像形成される場合において、カラープリンタは、光源を点灯させる画素が凸形状となる第１対象画素を特定できる。また、この図では、第１対象画素は、図示するように、横ラインＬＮ４を画像形成する画素に隣接する８行目において、点灯させる画素がでっぱる画素（以下「下凹画素ＤＰＸ」という。）等である。
【００９６】
また、同様に、図１１（Ｅ）乃至（Ｈ）に示す特定データが設定される場合には、カラープリンタは、光源を点灯させる画素が凹形状となる第１対象画素を特定できる。
【００９７】
なお、特定データは、図１１に示す８つのパターンに限られない。例えば、カラープリンタには、更に特定データが設定されてもよい。例えば、１５画素以外の画素数でパターンを示す特定データ又は図１１に示すパターンとは「０」と「１」の比率が異なる特定データ等が更に設定されてもよい。
【００９８】
＜印刷指示の受付例（ステップＳ０２）＞
図１０に戻り、ステップＳ０２では、カラープリンタは、印刷指示を受け付ける。例えば、図１に示すような構成では、カラープリンタには、上位装置から印刷指示を示すコマンドデータ及び画像データ等が送信される。このように、カラープリンタに対して、コマンドデータ等が送信されると、カラープリンタは、印刷指示を受け付ける。そして、カラープリンタは、印刷指示を受け付けると、入力される画像データ（以下「入力画像データ」という。）に対して画像処理を開始する。なお、図１に示すような構成では、カラープリンタは、まず、コントローラ２００１（図１）による画像処理を行う。
【００９９】
＜補正例（ステップＳ０３）＞
ステップＳ０３では、カラープリンタは、入力画像データに対して補正を行う。補正は、例えば、カラープリンタによって画像が記録媒体に画像形成される位置、大きさ又はこれらの両方の補正等である。具体的には、記録媒体の両面に画像形成が行われる、いわゆる両面印刷の場合には、まず、記録媒体の一方の面（以下「表面」という。）に対して、カラープリンタは、画像形成を行う。表面に対して画像形成が行われると、記録媒体は、サイズが縮小する場合が多い。なお、縮小は、例えば、定着において、記録媒体に対して熱が加えられるため、熱によって記録媒体に含まれる水分が減ること等が原因で起こる現象である。
【０１００】
そのため、表面に画像形成後、表面とは異なる面（以下「裏面」という。）に画像形成を行う場合には、カラープリンタは、縮小に合わせて入力画像データを補正して、第１画像データを生成する。図示すると、補正は、例えば、以下のような処理である。
【０１０１】
図１６は、本発明の一実施形態に係る補正の一例を示す図である。まず、記録媒体ＰＲの表面に対して、図１６（Ａ）に示すように、第１画像ＩＭＧ１が入力画像データに基づいて画像形成される。また、第１画像ＩＭＧ１の画像形成によって、記録媒体ＰＲは、図１６（Ｂ）に示すように、縮小する。
【０１０２】
次に、カラープリンタは、図１６（Ｂ）に示すように、記録媒体ＰＲの裏面に対して第２画像ＩＭＧ２を入力画像データに基づいて画像形成する。この例では、図示するように、例えば、記録媒体ＰＲが縮小しても、第１画像ＩＭＧ１が画像形成された位置に対して、裏面において同じ位置に第２画像ＩＭＧ２が画像形成されるように、第２画像ＩＭＧ２が画像形成される位置を補正する。また、第１画像ＩＭＧ１の画像形成によって、記録媒体ＰＲが縮小されるので、ほぼ同じような縮小率で第１画像ＩＭＧ１の大きさを縮小するように補正してもよい。さらに、補正は、位置と、大きさとの両方の補正が行われてもよい。
【０１０３】
また、補正は、紙の平行度が悪い場合等にも行われる。例えば、紙の裁断が精度よく行われない場合には、紙は、長方形ではなく、台形等の形状になる。このように、平行度の悪い一辺を突き当て、両面印刷が行われると、表裏で画像位置がずれる場合が多い。そこで、入力画像データの位置を補正して両面印刷後の表裏の位置を合わせる処理を行う場合がある。
【０１０４】
他にも、補正は、各色で、色ごとに変形させて色合わせを行う場合等にも行われる。すなわち、いわゆる色ずれ補正が行われる場合等に、補正は、行われる場合がある。
【０１０５】
＜タグデータの生成及び画像処理例（ステップＳ０４）＞
図１０に戻り、ステップＳ０４では、カラープリンタは、コントローラ２００１によって、タグデータの生成及び画像処理を行う。なお、タグデータは、画像データが有する各画素の属性を示すデータである。具体的には、まず、各画素の属性は、例えば、「イメージ」、「テキスト」又は「グラフィック」のいずれかの属性に分類されるとする。この属性は、画像データの各画素がユーザの操作によって、どのような種類の画像を画像形成するように画像データに入力されたかによる。例えば、「テキスト」は、画素が文字又はラインであることを示す属性である。より具体的には、画像データにおいて、ユーザが文字又はラインを画像形成するように入力する場合には、画素は、「テキスト」の属性に分類される。一方で、ユーザが絵柄等を画像形成するように入力する場合には、画素は、「イメージ」等の属性に分類される。
【０１０６】
以下、後段の処理では、文字又はライン、すなわち、「テキスト」の属性の画素が対象となる例で説明する。この例では、タグデータは、１ビットデータとなる。具体的には、画素が「テキスト」の属性である場合には、タグデータは、「１」となり、一方で、画素が「テキスト」以外の属性である場合には、タグデータは、「０」となる。
【０１０７】
また、ステップＳ０４では、カラープリンタは、コントローラ２００１及び第１プロッタ制御装置２００２（図１）によって、画像処理を行い、第１画像データを生成する。そして、カラープリンタは、生成した第１画像データを第２プロッタ制御装置２００３（図１）等に送信する。
【０１０８】
＜第１画像データ及びタグデータの受信例（ステップＳ０５）＞
ステップＳ０５では、カラープリンタは、第１画像データ及びタグデータを受信する。例えば、第１画像データ及びタグデータは、以下のように受信される。
【０１０９】
図１７は、本発明の一実施形態に係る第１画像データ及びタグデータの受信の一例を示すタイミングチャートである。例えば、第１画像データ及びタグデータは、クロック信号ＣＬＫに同期する信号によって、受信される。図示する例では、第１画像データＤＩＭＧ１及びタグデータＤＴＧは、それぞれ１ビットデータであり、かつ、クロック信号ＣＬＫの１クロック分が１画素のデータとなる。
【０１１０】
具体的には、例えば、第１タイミングＴ１において、第１画像データＤＩＭＧ１は、「０」であるため、第１画像データＤＩＭＧ１は、光源を消灯させることを示す。一方で、第２タイミングＴ２において、第１画像データＤＩＭＧ１は、「１」であるため、第１画像データＤＩＭＧ１は、光源を点灯させることを示す。そして、第２タイミングＴ２では、タグデータＤＴＧは、「１」であるため、第２タイミングＴ２における第１画像データＤＩＭＧ１が「テキスト」の属性であることを示す。このように、タグデータＤＴＧは、第１画像データＤＩＭＧ１が「１」である場合には、画素の属性を示す。
【０１１１】
したがって、タグデータＤＴＧは、第１画像データＤＩＭＧ１が「１」であっても、第１画像データＤＩＭＧ１が「テキスト」以外の属性である場合には、「０」である。例えば、第３タイミングＴ３は、第１画像データＤＩＭＧ１が「１」であっても、タグデータＤＴＧが、「０」となる例である。この場合は、絵柄等の画像である。
【０１１２】
＜第１画像データを第２画像データにする変換例（ステップＳ０６）＞
図１０に戻り、ステップＳ０６では、カラープリンタは、第１画像データを第２画像データにする変換を行う。具体的には、まず、カラープリンタは、特定データに基づいて、パターンマッチング等によって、図１２乃至図１５のように、第１対象画素を特定する。そして、カラープリンタは、特定される第１対象画素と、それ以外の第１画素とを例えば、以下のように変換する。
【０１１３】
図１８は、本発明の一実施形態に係る変換の第１例を示す図である。以下、図１２に示す第１特定パターンＰＴ１が有するそれぞれの第１画素を図示するように第２画像データの画素（以下「第２画素」という。）に変換する例で説明する。
【０１１４】
この例は、第１特定パターンＰＴ１が変換されて、第１変換パターンＰＴ１Ａとなる例である。第１特定パターンＰＴ１が有する各第１画素は、それぞれ４つの第２画素に変換される。図示するように、あらかじめ特定される第１対象画素（この例では、左凸画素ＬＰＸである。）及び隣接する画素に対応する第２画素（以下「第２対象画素ＬＰＸ２」という。）は、凸形状が均されるように変換される。
【０１１５】
また、タグデータに基づいて、左凸画素ＬＰＸが「テキスト」の属性である場合には、図示するような変換が行われる。つまり、左凸画素ＬＰＸが図１７に示す第２タイミングＴ２のように、タグデータが「１」となる属性であると、図１８のように、左凸画素ＬＰＸ及び隣接する画素は、カラープリンタによって、第２対象画素ＬＰＸ２に変換される。一方で、左凸画素ＬＰＸが「テキスト」以外の属性である場合、すなわち、図１７に示す第３タイミングＴ３のように、タグデータが「０」となる属性であると、図１８に示す第２対象画素ＬＰＸ２以外の第２画素のように、第１画素は、４つとも第１画素が示す値を反映させるように変換される。すなわち、変換後の４つの第２画素は、すべて同じ値を示すように変換される。
【０１１６】
第１特定パターンＰＴ１、すなわち、変換前では、左凸画素ＬＰＸが、凸形状となっている。一方で、第１変換パターンＰＴ１Ａ、すなわち、変換後では、凸形状となる部分が均されて、凸形状のような突起形状は、変換前と比較して、目立ちにくい状態となる。また、カラープリンタは、図１８に示すように、変換前の第１画像データを高い解像度に変換して、第２画像データを生成する。すなわち、第１画像データに対して、いわゆる倍密処理が行われると、第２画像データは、生成される。このように、カラープリンタは、凸形状を構成する左凸画素ＬＰＸ等を、一部、光源を消灯させる画素に変換して、かつ、左凸画素ＬＰＸに隣接する画素（図示する例では、上側に隣接する画素である。）を、光源を点灯させる画素に変換して、第２対象画素ＬＰＸ２とする。なお、この例は、変換の前後で、エネルギーが同等となる例である。このような変換が行われると、凸形状が均され、画像形成において、位置又は画像の大きさが変わる等の変形が行われる補正が行われる場合であっても、画質を向上させることができる。
【０１１７】
なお、凸形状を構成する左凸画素ＬＰＸは、例えば、以下のように変換されてもよい。
【０１１８】
図１９は、本発明の一実施形態に係る変換の第２例を示す図である。図１９は、図１８と比較すると、変換後のパターン（以下、「第２変換パターンＰＴ１Ｂ」という。）が異なる。具体的には、図１８に示す第１変換パターンＰＴ１Ａと比較すると、第２対象画素下部ＬＰＸ２１も、「１」に変換される点が異なる。このように、カラープリンタは、凸形状を構成する左凸画素ＬＰＸ等を、一部、光源を消灯させる画素に変換して、かつ、左凸画素ＬＰＸに隣接する画素（図示する例では、上側及び下側に隣接する画素である。）を、光源を点灯させる画素に変換して、第２対象画素ＬＰＸ２とする。このようにして、変換して、カラープリンタは、凸形状を均してもよい。
【０１１９】
また、凸形状を構成する左凸画素ＬＰＸは、例えば、以下のように変換されてもよい。
【０１２０】
図２０は、本発明の一実施形態に係る変換の第３例を示す図である。図２０は、図１８と比較すると、変換後のパターン（以下、「第３変換パターンＰＴ１Ｃ」という。）が異なる。図１９に示す第２変換パターンＰＴ１Ｂと比較すると、第３変換パターンＰＴ１Ｃは、「１」となる列が１列分少ない例である。すなわち、第３変換パターンＰＴ１Ｃは、凸形状を構成する光源を点灯させる左凸画素ＬＰＸを、光源を消灯させる画素に変換して、凸形状を均す例である。このようにして、変換して、カラープリンタは、凸形状を均してもよい。
【０１２１】
他にも、凸形状を構成する左凸画素ＬＰＸは、例えば、以下のように変換されてもよい。
【０１２２】
図２１は、本発明の一実施形態に係る変換の第４例を示す図である。図２１は、図１８と比較すると、変換後のパターン（以下、「第４変換パターンＰＴ１Ｄ」という。）が異なる。また、図１９に示す第２変換パターンＰＴ１Ｂと比較すると、第４変換パターンＰＴ１Ｄは、「１」となる列が２列分多い例である。すなわち、第４変換パターンＰＴ１Ｄは、凸形状を構成する光源を点灯させる左凸画素ＬＰＸに隣接する画素を、光源を点灯させる画素に変換して、凸形状を均す例である。このようにして、変換して、カラープリンタは、凸形状を均してもよい。
【０１２３】
また、カラープリンタは、変換において、凸形状を均し、更に、いわゆる細線化又は太線化を行ってもよい。以下、図２０に示す凸形状の均しが行われた場合を例に説明する。
【０１２４】
図２２は、本発明の一実施形態に係る変換において細線化を行う例を示す図である。まず、図２０に示すように、カラープリンタは、凸形状を均し、第３変換パターンＰＴ１Ｃとする。さらに、カラープリンタは、第３変換パターンＰＴ１Ｃから１列分、ラインが細くなるように、「１」の列を少なくする。なお、以下、ラインが１列分細くなった後のパターンを「細線化後パターンＰＴ１Ｃ２」という。図示するように、細線化後パターンＰＴ１Ｃ２は、第３変換パターンＰＴ１Ｃと比較すると、「１」の列が１列少ないパターンである。なお、細くする量、つまり、細線化処理で減らす「１」の列数は、設定できてもよい。また、図２２のように、更に細線化を行う場合には、カラープリンタは、第１特定パターンＰＴ１を細線化後パターンＰＴ１Ｃ２に変換してもよい。
【０１２５】
同様に、カラープリンタは、以下のように、太線化を行ってもよい。
【０１２６】
図２３は、本発明の一実施形態に係る変換において太線化を行う例を示す図である。まず、図２０に示すように、カラープリンタは、凸形状を均し、第３変換パターンＰＴ１Ｃとする。さらに、カラープリンタは、第３変換パターンＰＴ１Ｃから１列分、ラインが太くなるように、「１」の列を多くする。なお、以下、ラインが１列分太くなった後のパターンを「太線化後パターンＰＴ１Ｃ３」という。図示するように、太線化後パターンＰＴ１Ｃ３は、第３変換パターンＰＴ１Ｃと比較すると、「１」の列が１列多いパターンである。なお、太くする量、つまり、太線化処理で増やす「１」の列数は、設定できてもよい。さらに、図２３のように、更に太線化を行う場合には、カラープリンタは、第１特定パターンＰＴ１を太線化後パターンＰＴ１Ｃ３に変換してもよい。
【０１２７】
また、倍密処理等の変換は、例えば、以下のような処理である。
【０１２８】
図２４は、本発明の一実施形態に係る画像形成装置による倍密処理の第１例を示す図である。例えば、第１画像データが２４００ｄｐｉの解像度であり、かつ、１画素が光源を点灯させるか又は消灯させるかを示す１ビットデータである場合には、図２４（Ａ）乃至図２４（Ｄ）に示すような変換が行われる。そして、図示する例は、４８００ｄｐｉの解像度であり、かつ、１画素が１ビットデータである第２画像データが生成される例である。この例は、第１対象画素がない場合、すなわち、「テキスト」の属性であって、特定データで特定される凸形状又は凹形状がない場合に、行われる変換の一例である。
【０１２９】
また、変換は、他の解像度に係る画像データが用いられてもよい。例えば、第１画像データは、６００ｄｐｉ以下の解像度でもよい。
【０１３０】
さらに、第１画像データは、１画素が２ビット以上のデータでもよい。例えば、第１画像データが有する画素、すなわち、第１画素が２ビットデータ場合には、変換は、以下のような処理でもよい。
【０１３１】
図２５は、本発明の一実施形態に係る画像形成装置による倍密処理の第２例を示す図である。図示する例は、第１画素が２ビットデータであり、「０」乃至「３」のいずれかの値となる場合である。なお、第１画素は、「０」が画像形成を行わないことを示し、数値が大きくなるほど濃く画像形成させることを示すとする。また、この例では、図２５（Ａ）乃至図２５（Ｄ）のいずれかの組み合わせの変換を行うようにあらかじめカラープリンタに設定できるとする。
【０１３２】
図示する例は、いわゆる上寄せが行われる例である。具体的には、上寄せは、第１画素が「１」又は「２」の場合に、「１」となる第２画素が図において上の方に集中して配置される形式である。さらに、図２５（Ａ）は、「１」となる第２画素が図において左の方に集中して配置される形式である。そして、図２５（Ｂ）及び図２５（Ｃ）は、「１」となる第２画素が図において中央に集中して配置される形式である。また、図２５（Ｄ）は、「１」となる第２画素が図において右の方に集中して配置される形式である。
【０１３３】
他にも、第１画素が２ビットデータ場合には、変換は、以下のような処理でもよい。
【０１３４】
図２６は、本発明の一実施形態に係る画像形成装置による倍密処理の第３例を示す図である。図示する変換は、図２５と同様に、第１画素が２ビットデータであり、「０」乃至「３」のいずれかの値となる場合である。また、この例では、図２６（Ａ）乃至図２６（Ｆ）のいずれかの組み合わせの変換を行うようにあらかじめカラープリンタに設定できるとする。
【０１３５】
図２５と比較すると、図２６に示す変換は、第１画素が「１」又は「３」である場合には同一である。図２６に示す例は、ロウ方向において中央に「１」の画素が寄せられる形式である。
【０１３６】
さらに、第１画素は、２ビット以上のデータ（以下「多ビットデータ」という。）であってもよい。第１画素が多ビットデータである場合には、第１画素の示す値に基づいて、第２画素において、点灯する画素の配置が定まる。例えば、第１画素が２ビットデータの多ビットデータである場合には、変換は、以下のような処理でもよい。
【０１３７】
図２７は、本発明の一実施形態に係る画像形成装置による倍密処理の第４例を示す図である。図示する変換は、図２５と同様に、第１画素が２ビットデータであり、「０」乃至「３」のいずれかの値となる場合である。また、この例では、図２７（Ａ）乃至図２７（Ｄ）のいずれかの組み合わせの変換を行うようにあらかじめカラープリンタに設定できるとする。
【０１３８】
図２５と比較すると、図２７に示す変換は、第１画素が「１」又は「３」である場合には同一である。図２７に示す例は、いわゆる下寄せが行われる例である。
【０１３９】
具体的には、下寄せは、第１画素が「１」又は「２」の場合に、「１」となる第２画素が図において下の方に集中して配置される形式である。さらに、図２７（Ａ）は、「１」となる第２画素が図において左の方に集中して配置される形式である。そして、図２７（Ｂ）及び図２７（Ｃ）は、「１」となる第２画素が図において中央に集中して配置される形式である。また、図２７（Ｄ）は、「１」となる第２画素が図において右の方に集中して配置される形式である。
【０１４０】
さらにまた、第１画素が２ビットデータ場合には、変換は、以下のような処理でもよい。
【０１４１】
図２８は、本発明の一実施形態に係る画像形成装置による倍密処理の第５例を示す図である。図示する変換は、図２５と同様に、第１画素が２ビットデータであり、「０」乃至「３」のいずれかの値となる場合である。また、この例では、図２８（Ａ）又は図２８（Ｂ）のどちらかの組み合わせの変換を行うようにあらかじめカラープリンタに設定できるとする。
【０１４２】
図２５乃至図２７と比較すると、図２８に示す変換は、「寄せ」が行われず、比較的、均一に「１」が配置される例である。一方で、図２５と比較すると、図２８に示す変換は、第１画素が「１」又は「３」である場合には同一である。
【０１４３】
図２９は、画像形成装置による倍密処理における比較例を示す図である。例えば、図２９（Ａ）に示すような画像形成を行うようにする場合を例に説明する。図２９（Ａ）に示す例では、光源は、図２９（Ｂ）に示すように、第１１タイミングＴ１１において画像データに基づいて点灯するように制御される。そして、図２９（Ｂ）に示すように、次の画素、すなわち、第１２タイミングＴ１２において消灯するように制御を行う画像データである場合がある。このような場合には、光源の応答速度によっては、図２９（Ｃ）に示すように、光源の点灯及び消灯の切り替えが間に合わない場合がある。そこで、図２９（Ａ）に示す画像データを以下のように変換する。
【０１４４】
図３０は、本発明の一実施形態に係る画像形成装置による倍密処理の処理結果例を示す図である。例えば、図３０（Ａ）に示す画像データは、図２６（Ｅ）又は図２６（Ｆ）等に示す変換によって生成される画像データである。図２９に示す場合と比較すると、図３０（Ｂ）は、第１２タイミングＴ１２及び第１３タイミングＴ１３でそれぞれ点灯及び消灯を切り替える制御がなく、点灯が維持される点が異なる。このようにすると、図２９（Ｃ）のように、光源の点灯及び消灯の切り替え応答が間に合わず、意図しない画像が形成されてしまう等を少なくすることができる。
【０１４５】
また、第１画素及び第２画素は、どちらも多ビットデータであってもよい。例えば、第１画素及び第２画素がそれぞれ「０」乃至「Ｆ」の１６進数の値を示す４ビットデータである場合には、以下のような変換が行われてもよい。
【０１４６】
図３１は、本発明の一実施形態に係る多ビットデータの変換の第１例を示す図である。図３１は、図１８において、各画素が多ビットデータである場合の例を示す。なお、各画素は、数値によって、画像形成される濃度を示すとする。この例では、濃度は、値が「０」となると白色となり、数値が大きくなるほど黒色に近い色となるとする。具体的には、濃度は、光源を点灯させる制御信号のデューティ（ｄｕｔｙ）比又は点灯時間等を示す値である。なお、制御信号は、例えば、ＰＷＭ（Ｐｕｌｓｅ  Ｗｉｄｔｈ  Ｍｏｄｕｌａｔｉｏｎ）信号等である。
【０１４７】
図示するように、図１８と比較すると、用いられる画素が多ビットデータとなる点が異なる。まず、図示するように、左凸画素ＬＰＸであり、かつ、左凸画素ＬＰＸが「テキスト」の属性である場合以外の処理は、図１８と同様である。
【０１４８】
この例は、第１特定パターンＰＴ１が変換されて、第１変換パターンＰＴ１Ａとなる例である。第１特定パターンＰＴ１が有する各第１画素は、倍密処理によってそれぞれ４つの第２画素に変換される。第１特定パターンＰＴ１、すなわち、変換前では、左凸画素ＬＰＸが、凸形状となっている。一方で、第１変換パターンＰＴ１Ａ、すなわち、変換後では、凸形状となる部分が均されて、凸形状のように、突起形状は、変換前と比較して、目立ちにくい状態となる。図１８では、左凸画素ＬＰＸ及び隣接する画素は、「１」、すなわち、光源を点灯させる画素に変換されるのに対して、図３１に示す変換では、左凸画素ＬＰＸ及び隣接する画素が、「Ｆ」と「０」の中間の濃度となる「４」、すなわち、第２対象画素ＬＰＸ３に変換される。
【０１４９】
また、タグデータに基づいて、左凸画素ＬＰＸが「テキスト」の属性である場合には、図示するような変換が行われる。つまり、左凸画素ＬＰＸが図１７に示す第２タイミングＴ２のように、タグデータが「１」となる属性であると、図３１のように、左凸画素ＬＰＸは、カラープリンタによって、第２対象画素ＬＰＸ３のように、均される。
【０１５０】
また、変換は、例えば、以下のように他の値にする変換でもよい。
【０１５１】
図３２は、本発明の一実施形態に係る多ビットデータの変換の第２例を示す図である。図３１と比較すると、図３１において「４」となるように変換された画素が、図３２では、「８」に変換される点が異なる。すなわち、図３２では、第２画素（以下「第２対象画素ＬＰＸ４」という。）のうち、「Ｆ」に隣接する画素は、「８」に変換される。
【０１５２】
図３３は、本発明の一実施形態に係る多ビットデータの変換の第３例を示す図である。図３１と比較すると、図３１において「４」となるように変換された画素が、図３３では、「Ｃ」に変換される点が異なる。すなわち、図３３では、第２画素（以下「第２対象画素ＬＰＸ５」という。）のうち、「Ｆ」に隣接する画素は、「Ｃ」に変換される。
【０１５３】
図３２に示す第２対象画素ＬＰＸ４及び図３３に示す第２対象画素ＬＰＸ５のように、第２画素が多ビットデータである場合には、変換は、あらかじめ設定される濃度の値となるように行われる。
【０１５４】
また、変換において行われるパターンマッチングは、例えば、以下のように行われる。
【０１５５】
図３４は、本発明の一実施形態に係る画像形成装置によって行われるパターンマッチングの一例を示す図である。例えば、パターンマッチングによって第１対象画素であるか否かが判定される画素（以下「注目画素ＦＰＸ」という。）を中心として、カラープリンタは、図示するような９×９のイメージマトリクスを用いてパターンマッチングを行う。
【０１５６】
なお、イメージマトリクスのサイズは、９×９に限られない。例えば、イメージマトリクスのサイズは、１１×１１等の９×９より大きいサイズでもよい。大きいサイズのイメージマトリクスを用いると、カラープリンタは、第１対象画素を特定するバリエーションを増やすことができる。また、大きいサイズのイメージマトリクスを用いると、カラープリンタは、第１対象画素を特定する検出精度を向上させることができる。一方で、例えば、イメージマトリクスのサイズは、７×７等の９×９より小さいサイズでもよい。小さいサイズのイメージマトリクスを用いると、カラープリンタは、イメージマトリクスに係る回路規模を小さくすることができる。
【０１５７】
具体的には、パターンマッチングでは、例えば、カラープリンタは、注目画素ＦＰＸ及び周辺が図１１等に示す特定データと同一の配置であるか否か判断する。以下、図１１（Ａ）に示す特定データによるパターンマッチングの例で説明する。この場合には、パターンマッチングでは、カラープリンタは、まず、注目画素ＦＰＸが「１」、すなわち、凸画素ＰＸＡ（図１１（Ａ））であるか否か判断する。そして、注目画素ＦＰＸが「１」でないと、カラープリンタは、図１１（Ａ）に示す特定データの画素ではないと判断する。次に、図１１（Ａ）に示す特定データに基づいて、注目画素ＦＰＸの周辺の画素がすべて図１１（Ａ）の通りの配置であるか否か判断する。注目画素ＦＰＸ及び周辺画素がすべて図１１（Ａ）の通りであると、カラープリンタは、図１１（Ａ）に示す特定データの画素であると判断する。次に、タグデータに基づいて、カラープリンタは、注目画素ＦＰＸが「テキスト」の属性であるか否かを判断する。
【０１５８】
そして、図１１（Ａ）に示す特定データの画素であり、かつ、注目画素が「テキスト」の属性である場合には、カラープリンタは、注目画素ＦＰＸが、図１８等に示すような変換を行う対象となる第１対象画素であると判断する。
【０１５９】
なお、パターンマッチングでは、優先度が設定されてもよい。具体的には、まず、パターンマッチングによって検出される複数のパターンに対して、あらかじめ優先度が設定される。画像形成装置は、パターンマッチングによって、優先度が高いパターンから順に検出する。そして、複数のパターンに当てはまるパターンが検出された場合には、優先度の高い方のパターンに当てはまると判断してもよい。
【０１６０】
電子回路等でパターンマッチングを行う場合には、１度に複数のパターンマッチングを実行できない場合が多い。そこで、このように、優先度を設定すると、画像形成装置は、電子回路等を利用して、複数のパターンマッチングを行うことができる。
【０１６１】
＜第２画像データに基づく画像形成例（ステップＳ０７）＞
図１０に戻り、ステップＳ０７では、カラープリンタは、第２画像データに基づいて画像形成を行う。すなわち、カラープリンタは、変換によって生成された画像データに基づいて記録媒体に画像形成する。
【０１６２】
＜スムージング処理を行う実施形態＞
また、画像形成装置は、ロウ方向及びカラム方向のいずれの方向にもエッジとなり、画像において角となる段差（以下単に「段差」という）を滑らかにする処理、いわゆるスムージング（ｓｍｏｏｔｈｉｎｇ）処理を行ってもよい。なお、スムージング処理は、平滑化処理又は段差を均す処理という場合もある。以下、スムージング処理の一例を説明する。
【０１６３】
図３５は、本発明の一実施形態に係る画像形成装置によるスムージング処理の一例を示す図である。まず、段差ＬＶは、例えば、図３５（Ａ）に示すような状態である。以下、図３５（Ａ）に示す段差ＬＶを例に説明する。なお、この例は、図１８等と同様に、図３５（Ａ）が２４００ｄｐｉの画像であり、変換されて、図３５（Ｂ）に示す４８００ｄｐｉの画像になる例である。また、この例において、図１８等と同様に、画素が「０」であると、光源は、消灯し、一方で、画素が「１」であると、光源は、点灯する。
【０１６４】
また、図３５（Ａ）に対するスムージング処理は、例えば、図３５（Ａ）に示すような状態を図３５（Ｂ）に示すような状態にする処理等である。具体的には、まず、画像形成装置は、パターンマッチング等によって、段差ＬＶとなる画素を検出する。
【０１６５】
次に、段差ＬＶが検出されると、画像形成装置は、スムージング処理を行う。そして、スムージング処理が行われると、図３５（Ａ）において段差ＬＶに含まれる「０」を示す画素の一部が、図３５（Ｂ）に示すように、「１」を示す画素となる。すなわち、スムージング処理が行われると、段差ＬＶに含まれる光源を消灯させる画素の一部が光源を点灯させる画素に変換される。図３５（Ｂ）に示す段差ＬＶは、スムージング処理によって、図３２（Ａ）に示す段差ＬＶより、角となる部分が滑らかになる。
【０１６６】
なお、スムージング処理は、図示する処理に限られない。スムージング処理は、例えば、図３５（Ｂ）に示す「０」を示す画素ＡＤを更に「１」となるように変換する処理でもよい。
【０１６７】
＜機能構成例＞
図３６は、本発明の一実施形態に係る画像形成装置の機能構成の一例を示す図である。図示するように、カラープリンタ２０００は、例えば、補正部２０００Ｆ１、データ受信部２０００Ｆ２、特定データ設定部２０００Ｆ３、変換部２０００Ｆ４及び画像形成部２０００Ｆ５等を備える。
【０１６８】
補正部２０００Ｆ１は、図１に示す上位装置等から入力される入力画像データを補正して第１画像データを生成する。例えば、補正部２０００Ｆ１は、コントローラ２００１（図９）等によって実現される。
【０１６９】
データ受信部２０００Ｆ２は、第１画像データＤＩＭＧ１及びタグデータ等を受け付ける。例えば、データ受信部２０００Ｆ２は、第２プロッタ制御装置２００３（図９）及び第３プロッタ制御装置２００６（図９）等によって実現される。
【０１７０】
なお、第１画素が１ビットである場合には、それぞれの第１画素は、光源を点灯させるか消灯させるかを示し、第１画素が多ビットである場合には、それぞれの第１画素は、画像形成される濃度を示す。
【０１７１】
特定データ設定部２０００Ｆ３は、光源を点灯させる又は濃度を示す画素と、光源を消灯させる画素とが凸形状又は凹形状となる第１対象画素を特定できる特定データＤＳを設定する。例えば、特定データ設定部２０００Ｆ３は、ＣＰＵ２００５（図９）によって実現される。
【０１７２】
変換部２０００Ｆ４は、第１画像データＤＩＭＧ１を第１画像データＤＩＭＧ１より高い解像度となる第２画像データＤＩＭＧ２にする変換において、特定データＤＳ及びタグデータＤＴＧに基づいて、第２画像データＤＩＭＧ２が有する第２画素のうち、第１対象画素に対応する第２対象画素を特定し、凸形状又は凹形状を均すように変換して第２画像データＤＩＭＧ２を生成する。例えば、変換部２０００Ｆ４は、第２プロッタ制御装置２００３（図９）及び第３プロッタ制御装置２００６（図９）等によって実現される。
【０１７３】
画像形成部２０００Ｆ５は、第２画像データＤＩＭＧ２に基づいて、光源を制御して画像形成する。例えば、画像形成部２０００Ｆ５は、第２プロッタ制御装置２００３（図９）及び第３プロッタ制御装置２００６（図９）等によって実現される。
【０１７４】
カラープリンタ２０００は、まず、補正部２０００Ｆ１によって、両面印刷等が行われると、入力画像データを補正して第１画像データＤＩＭＧ１を生成する。一方で、カラープリンタ２０００には、特定データ設定部２０００Ｆ３によって、特定データＤＳがあらかじめ設定される。また、カラープリンタ２０００は、第１画像データＤＩＭＧ１が有する各第１画素の属性を示すタグデータＤＴＧを生成する。
【０１７５】
このようにして生成された第１画像データＤＩＭＧ１及びタグデータＤＴＧは、データ受信部２０００Ｆ２によって、例えば、図１７に示すように受信される。次に、カラープリンタ２０００は、変換部２０００Ｆ４によって、倍密処理等を行い、第１画像データＤＩＭＧ１を高い解像度の第２画像データＤＩＭＧ２に変換する。そして、変換において、カラープリンタ２０００は、特定データＤＳ及びタグデータＤＴＧに基づいて、第２画像データＤＩＭＧ２が有する第２画素のうち、第１対象画素に対応する第２対象画素があるか否か判断する。具体的には、まず、カラープリンタ２０００は、タグデータＤＴＧに基づいて、第１対象画素が文字又はラインの属性であるか否かを判断する。さらに、カラープリンタ２０００は、特定データＤＳに基づいて、例えば、図３４に示すようにパターンマッチングを行い、凸形状又は凹形状となる第１対象画素であるか否かを判断する。
【０１７６】
このようにして、特定データＤＳ及びタグデータＤＴＧに基づいて、カラープリンタ２０００は、文字又はラインの属性であり、かつ、第１対象画素であると判断する場合には、図１８等に示すように、変換部２０００Ｆ４によって、凸形状又は凹形状を均すように変換する。特に、補正部２０００Ｆ１によって、補正が行われると、画像には、凸形状又は凹形状が発生しやすい。そこで、カラープリンタ２０００は、変換部２０００Ｆ４によって、凸形状又は凹形状が目立ちにくくなるように、凸形状又は凹形状を均すように変換する。このようにして、補正が行われても、画像形成において、カラープリンタ２０００は、画質を向上させることができる。
【０１７７】
具体的には、補正が行われると、例えば、以下のような第１画像データが生成される。
【０１７８】
図３７は、本発明の一実施形態に係る入力画像データ及び第１画像データの一例を示す図である。以下、図３７（Ａ）に示すような入力画像データが入力され、補正によって、図３７（Ａ）に示す入力画像データに基づいて、図３７（Ｂ）に示す第１画像データが生成される例で説明する。
【０１７９】
この例では、例えば、図３７（Ｂ）に示すように、文字を構成するライン部分ＥＸに、凸形状及び凹形状が発生する。より詳しくは、ライン部分ＥＸを拡大した図が、図３７（Ｃ）である。図３７（Ｃ）に示すように、ライン部分ＥＸには、凸形状及び凹形状が発生している。このような凸形状及び凹形状は、ライン太り又はジャギー（ｊａｇｇｙ）等の原因になる場合もある。そこで、図３６に示すような機能構成とし、変換を行うと、画像は、例えば、以下のようになる。
【０１８０】
図３８は、本発明の一実施形態に係る効果の一例を示す図である。図３８（Ａ）に示す画像は、図３７（Ｂ）に示す第１画像データに対して、変換等を行った場合の例である。例えば、ライン部分ＥＸ等において、変換によって、凸形状及び凹形状が少なくなる効果がわかる。より詳しくは、ライン部分ＥＸを拡大した図が、図３８（Ｂ）である。図３８（Ｂ）は、図示するように、凸形状及び凹形状が均されてる例を示す。
【０１８１】
このようにすると、カラープリンタは、凸形状及び凹形状等を均し、ライン太り又はジャギー等を少なくすることができる。ゆえに、カラープリンタは、変換によって、補正が行われても、画質を向上させることができる。
【０１８２】
また、画像形成装置は、タグデータを用いることで、各画素が文字又はラインを示すデータであるか否かを判断することができる。文字又はライン以外、例えば、絵柄等の画素を図１８等に示すように変換すると、色合い等が変わってしまう場合が多い。そこで、タグデータを用いて、画像形成装置は、文字又はラインを示す画素を選んで、図１８等に示すような変換を行うのが望ましい。このようにすると、画像形成装置は、文字又はライン以外の絵柄等の画像の画質を向上させることができる。また、タグデータは、文字又はラインを示すデータであるか否かを示す１ビットのデータであるのが望ましい。１ビットのデータであると、タグデータが多ビットデータである場合と比較して、画像形成装置は、タグデータのデータ容量を少なくすることができる。
【０１８３】
さらに、変換は、光源の制御等を行う後段で行われるのが望ましい。具体的には、図９に示す構成では、第２プロッタ制御装置及び第３プロッタ制御装置等で、変換が行われるのが望ましい。変換が行われると、倍密処理等が行われる。そのため、変換後は、データ転送量が多くなる場合が多い。そこで、第２プロッタ制御装置及び第３プロッタ制御装置等のように、後段で行われるのが望ましい。このようにすると、変換を行う前の箇所において、画像形成装置は、データ転送量を少なくすることができる。一方で、文字又はライン等を凸形状及び凹形状を均す変換処理は、高い解像度において行われるのが望ましい。高い解像度で行うと、文字又はラインを凸形状及び凹形状を均す量を細かく指定することができる。例えば、４８００ｄｐｉの解像度では、５ミクロン単位で文字又はラインを均す量を指定することができる。なお、第２画像データの解像度は、第１画像データの解像度の２倍以上であるのが望ましい。このようにして、画像形成装置は、より高精細な画像形成を行うことができる。
【０１８４】
＜その他の実施形態＞
カラープリンタは、変換で細線化又は太線化させる変換を行う場合には、細く又は太くする画素の数を軸ごとに、それぞれ別々に設定してもよい。例えば、現像ローラが回転する方向を「第１方向」とする（図１８等では、ロウ方向である）。まず、第１方向について、細く又は太くする画素の数（以下「第１画素数」という。）が設定される。
【０１８５】
一方で、第１方向に対して直交する方向を「第２方向」とする（図１８等では、カラム方向である）。第１方向とは別に、細く又は太くする画素の数（以下「第２画素数」という。）が設定される。つまり、第１画素数が設定され、次に、第２画素数が、別々に独立して設定される。なお、第１画素数及び第２画素数は、設定される順序は、同時又は先に第２画素数が設定され、次に第１画素数が設定されてもよい。
【０１８６】
このようにすると、例えば、図２２及び図２３のように細線化又は太線化が行われる際に、軸ごとに、太くする量又は細くする量をそれぞれ異なるようにすることができる。そのため、カラープリンタは、第１画素数及び第２画素数に異なる値を設定して、縦横比を調整することができる。
【０１８７】
画像形成、特に、トナーを用いる電子写真方式等では、電磁ブラシを有する現像ローラが用いられる場合が多い。そのため、第１方向では、現像ローラによってトナーが欠き取られる現象が発生する場合があるため、第１方向のみライン等が細くなる場合がある。そこで、本発明に係る実施形態の画像形成装置は、第１方向と、第２方向とで、各方向で細く又は太くする量を第１画素数及び第２画素数によって別々に設定する。このようにすると、画像形成装置は、第１方向及び第２方向で、変換する際に、画素数を異なるようにすることができる。これにより、画像形成装置は、縦横比を調整することができる。
【０１８８】
また、パターンマッチングは、例えば、以下のように行われてもよい。
【０１８９】
図３９は、本発明の一実施形態に係る画像形成装置によって行われるパターンマッチングの別の一例を示す図（その１）である。図３９（Ａ）に示すように、各画素は、２ビットデータでもよい。なお、２ビットデータのうち、１ビットが画像データであり、他方の１ビットがタグデータである。
【０１９０】
例えば、２ビットデータの画素であって、細線化を行う場合には、図３９（Ｂ）に示す左凸画素ＬＰＸ及び図３９（Ｃ）に示す右凸画素ＲＰＸ等が細線化の対象となる。また、図に縦方向（ロウ方向）についても以下のように同様である。
【０１９１】
図４０は、本発明の一実施形態に係る画像形成装置によって行われるパターンマッチングの別の一例を示す図（その２）である。
【０１９２】
図３９と同様に、２ビットデータの画素であって、細線化を行う場合には、図４０（Ａ）に示す上凸画素ＵＰＸ及び図４０（Ｂ）に示す下凸画素ＤＰＸ等が細線化の対象となる。また、均しは、２ビットデータの画素の場合には、例えば、以下のようになる。
【０１９３】
図４１は、本発明の一実施形態に係る画像形成装置によって行われるパターンマッチングの別の一例を示す図（その３）である。例えば、図３９と同様に、２ビットデータの画素であって、細線化を行う場合には、図４１（Ａ）に示す左凸画素ＬＰＸ及び図４１（Ｂ）に示す上凸画素ＵＰＸ等が均しの対象となる。
【０１９４】
また、画像形成装置は、凹形状及び凸形状を均し、かつ、細線化する処理に加え、(フラットな)エッジの細線化処理を行ってもよい。具体的には、図１１に示す特定データに基づくパターンマッチングに加え、以下のような特定データに基づいてパターンマッチングを行ってもよい。ただし、画像形成装置は、図１１に示す特定データに基づくパターンマッチングを優先して行う。
【０１９５】
図４２は、本発明の一実施形態に係る特定データの別の一例を示す図である。図示する特定データを用いると、例えば、以下のような変換が行われる。
【０１９６】
図４３は、本発明の一実施形態に係る変換の別の一例を示す図である。この例は、第１特定パターンＰＴ１が変換されて、第１変換パターンＰＴ１Ａとなる例である。第１特定パターンＰＴ１が有する各第１画素は、それぞれ４つの第２画素に変換される。図示するように、あらかじめ特定される第１対象画素（この例では、左エッジ画素ＬＰＸである。）は、第１対象画素に対応する４つの第２画素（以下「第２対象画素ＬＰＸ２」という。）がすべて「０」となるように変換される。
【０１９７】
また、タグデータに基づいて、左エッジ画素ＬＰＸが「テキスト」の属性である場合には、図示するような変換が行われる。つまり、左エッジ画素ＬＰＸが図１７に示す第２タイミングＴ２のように、タグデータが「１」となる属性であると、図示するように、左エッジ画素ＬＰＸは、カラープリンタによって、第２対象画素ＬＰＸ２に変換される。一方で、左エッジ画素ＬＰＸが「テキスト」以外の属性である場合、すなわち、図１７に示す第３タイミングＴ３のように、タグデータが「０」となる属性であると、第２対象画素ＬＰＸ２以外の第２画素のように、第１画素は、４つとも第１画素が示す値を反映させるように変換される。すなわち、変換後の４つの第２画素は、すべて同じ値を示すように変換される。
【０１９８】
図示するような変換とすると、ライン又は文字は、４８００ｄｐｉにおいてカラム方向に２画素分細くなるように画像形成される。なお、「２画素」は、第２画素数で設定される画素数である。つまり、図示する例は、第２画素数にあらかじめ「２」が設定される例である。
【０１９９】
上記のように、凹形状及び凸形状を均し、かつ、細線化を行い、更にエッジを細線化すると、画像形成装置は、画像の品質を向上させることができる。
【０２００】
以上、本発明の好ましい実施例について詳述したが、本発明は係る特定の実施形態に限定されるものではなく、特許請求の範囲に記載された本発明の要旨の範囲内において、種々の変形又は変更が可能である。
【符号の説明】
【０２０１】
２０００  カラープリンタ
ＤＩＭＧ１  第１画像データ
ＤＩＭＧ２  第２画像データ
ＤＳ  特定データ
ＤＴＧ  タグデータ
【先行技術文献】
【特許文献】
【０２０２】
【特許文献１】特開２０１５−１７７２４２号公報
【図１】
2017213717.tif 000003
【図２】
2017213717.tif 000004
【図３】
2017213717.tif 000005
【図４】
2017213717.tif 000006
【図５】
2017213717.tif 000007
【図６】
2017213717.tif 000008
【図７】
2017213717.tif 000009
【図８】
2017213717.tif 000010
【図９】
2017213717.tif 000011
【図１０】
2017213717.tif 000012
【図１１】
2017213717.tif 000013
【図１２】
2017213717.tif 000014
【図１３】
2017213717.tif 000015
【図１４】
2017213717.tif 000016
【図１５】
2017213717.tif 000017
【図１６】
2017213717.tif 000018
【図１７】
2017213717.tif 000019
【図１８】
2017213717.tif 000020
【図１９】
2017213717.tif 000021
【図２０】
2017213717.tif 000022
【図２１】
2017213717.tif 000023
【図２２】
2017213717.tif 000024
【図２３】
2017213717.tif 000025
【図２４】
2017213717.tif 000026
【図２５】
2017213717.tif 000027
【図２６】
2017213717.tif 000028
【図２７】
2017213717.tif 000029
【図２８】
2017213717.tif 000030
【図２９】
2017213717.tif 000031
【図３０】
2017213717.tif 000032
【図３１】
2017213717.tif 000033
【図３２】
2017213717.tif 000034
【図３３】
2017213717.tif 000035
【図３４】
2017213717.tif 000036
【図３５】
2017213717.tif 000037
【図３６】
2017213717.tif 000038
【図３７】
2017213717.tif 000039
【図３８】
2017213717.tif 000040
【図３９】
2017213717.tif 000041
【図４０】
2017213717.tif 000042
【図４１】
2017213717.tif 000043
【図４２】
2017213717.tif 000044
【図４３】
2017213717.tif 000045